(57)【要約】【課題】  使い勝手に優れているとともに、表示部を適切に保護できる携帯機器を提供する。【解決手段】  携帯電話機は、筐体２と、筐体２に対して回動自在に連結されたヒンジ６と、回転自在となるようにヒンジ６に連結された筐体３とを備える。筐体３は、ヒンジ６を介して回動することによって筐体２に対して開閉される。筐体３は、回転した場合に表裏反転する表面３ａおよび３ｂを含む。筐体３が閉じられた状態で、表面３ａおよび３ｂのいずれか一方が筐体２に向い合い、表面３ａおよび３ｂのいずれか他方が外側に露出する。携帯電話機は、表面３ａに設けられたメイン表示部１１と、表面３ｂに設けられたサブ表示部２０とをさらに備える。【選択図】        図４
2005123786.tif 000002
【特許請求の範囲】
【請求項１】
第１の筐体と、
前記第１の筐体の端部に設けられ、第１の軸を中心に前記第１の筐体に対して回動自在に連結されたヒンジ部と、
前記第１の軸に直交する第２の軸を中心に回転自在となるように前記ヒンジ部に連結され、前記ヒンジ部を介して前記第１の軸を中心に回動することによって前記第１の筐体に対して開閉される第２の筐体とを備え、
前記第２の筐体は、前記第２の軸を中心に回転した場合に表裏反転し、前記第２の筐体が前記第１の筐体に対して閉じられた状態で、いずれか一方が前記第１の筐体に向い合い、いずれか他方が外側に露出する第１および第２の表面を含み、さらに、
前記第１の表面に設けられた第１の表示部と、
前記第２の表面に設けられた第２の表示部とを備える、携帯機器。
【請求項２】
前記第２の表示部は、前記第１の表示部の面積よりも小さい面積を有する、請求項１に記載の携帯機器。
【請求項３】
前記第２の表示部は、前記第２の筐体が前記第１の筐体に対して閉じられた状態で、前記第２の表面が外側に露出する場合に視認可能なように通電され、前記第２の表面が前記第１の筐体に向い合う場合に非通電とされる、請求項１または２に記載の携帯機器。
【請求項４】
前記第２の表示部は、前記第２の筐体が前記第１の筐体に対して開かれた状態で、所定のボタン操作によって通電および非通電が選択される、請求項１から３のいずれか１項に記載の携帯機器。
【請求項５】
前記第１および第２の筐体のいずれか一方には、磁石が設けられており、前記第１および第２の筐体のいずれか他方には、前記第２の筐体が前記第１の筐体に対して閉じられた状態で前記磁石に近接して位置決めされ、前記第２の筐体および前記第２の表面がいずれの状態に位置決めされているかを検知するホール素子が設けられている、請求項３または４に記載の携帯機器。
【請求項６】
前記第１の筐体は、カメラ部を含む、請求項１から５のいずれか１項に記載の携帯機器。
【請求項７】
第１の筐体と、
前記第１の筐体の端部に設けられ、第１の軸を中心に前記第１の筐体に対して回動自在に連結されたヒンジ部と、
前記第１の軸に直交する第２の軸を中心に回転自在となるように前記ヒンジ部に連結され、前記ヒンジ部を介して前記第１の軸を中心に回動することによって前記第１の筐体に対して開閉される第２の筐体とを備え、
前記第２の筐体は、前記第２の軸を中心に回転した場合に表裏反転し、前記第２の筐体が前記第１の筐体に対して閉じられた状態で、いずれか一方が前記第１の筐体に向い合い、いずれか他方が外側に露出する第１および第２の表面を含み、
前記第１の筐体は、前記第２の筐体が前記第１の筐体に対して閉じられた状態で、外側に露出する第３の表面を含み、さらに、
前記第１の表面に設けられた第１の表示部と、
前記第３の表面に設けられた第２の表示部とを備え、
前記第２の表示部は、前記第２の筐体が前記第１の筐体に対して閉じられた状態で、視認可能なように通電され、前記第２の筐体が前記第１の筐体に対して開かれた状態で、所定のボタン操作によって通電および非通電が選択される、携帯機器。
【請求項８】
前記第１の筐体は、撮影レンズを有するカメラ部を含み、
前記撮影レンズは、前記第２の表示部の近傍に位置して前記第３の表面に設けられている、請求項７に記載の携帯機器。
【請求項９】
前記第１および第２の筐体のいずれか一方には、磁石が設けられており、前記第１および第２の筐体のいずれか他方には、前記第２の筐体が前記第１の筐体に対して閉じられた状態で前記磁石に近接して位置決めされ、前記第２の筐体の開閉状態を検知するホール素子が設けられている、請求項７または８に記載の携帯機器。
【発明の詳細な説明】
【技術分野】
【０００１】
この発明は、一般的には、携帯機器に関し、より特定的には、２つの筐体が回動可能に取り付けられ、その一方の筐体が回転可能に設けられて構成される携帯機器に関する。
【背景技術】
【０００２】
従来、ヒンジを介して２つの筐体が開閉自在に連結されたクラムシェルタイプの携帯電話機が広く普及している。このタイプの携帯電話機では、一般的に、一方の筐体に表示部やレシーバなどが設けられ、他方の筐体には、操作ボタンやマイクなどが設けられている。さらに最近になって、互いに独立して回転する２つの回転軸を備えたクラムシェルタイプの携帯電話機が販売され始めており、たとえば特開２００３−１２５０４９号公報には、このような携帯電話機が開示されている（特許文献１）。
【０００３】
特許文献１に開示されている携帯電話は、電話番号や作動信号を入力するための入力操作部を設けた操作本体部と、この操作本体部に回動自在に連結され、ひとつのディスプレイ部を設けた開閉カバー部とを備える。開閉カバー部は、ディスプレイ部の向きを反転できるように回転自在に設けられている。このような構成により、場面に応じてディスプレイ部を適当な方向に向けることができ、様々な方法で携帯電話を使用することができる。
【特許文献１】特開２００３−１２５０４９号公報
【発明の開示】
【発明が解決しようとする課題】
【０００４】
しかし、特許文献１に開示された携帯電話では、ディスプレイ部を操作本体部側に向けた状態で開閉カバー部を閉じた場合、ユーザーは、ディスプレイ部を視認することができない。このため、たとえばメールの着信があった場合など、ユーザーは、開閉カバー部を開いてから、メールの着信相手やメールの内容を確認する必要がある。このような理由から、携帯電話の使い勝手が損なわれている。
【０００５】
一方、ディスプレイ部を操作本体部とは反対側に向けた状態、つまりディスプレイ部を外側に向けた状態で開閉カバー部を閉じた場合、ユーザーは、ディスプレイ部によってメールの着信相手などを容易に確認することができる。しかし、ディスプレイ部を外側に露出させたまま携帯電話をポケットやカバンの中に入れて持ち歩くこととなるため、ディスプレイ部が傷付くおそれが生じる。特に近年、ディスプレイ部の面積が大きくなる傾向にあり、ディスプレイ部が傷付くおそれは増大している。
【０００６】
そこでこの発明の目的は、上記の課題を解決することであり、使い勝手に優れているとともに、表示部を適切に保護できる携帯機器を提供することである。
【課題を解決するための手段】
【０００７】
この発明の１つの局面に従った携帯機器は、第１の筐体と、第１の筐体の端部に設けられ、第１の軸を中心に第１の筐体に対して回動自在に連結されたヒンジ部と、第１の軸に直交する第２の軸を中心に回転自在となるようにヒンジ部に連結された第２の筐体とを備える。第２の筐体は、ヒンジ部を介して第１の軸を中心に回動することによって第１の筐体に対して開閉される。第２の筐体は、第２の軸を中心に回転した場合に表裏反転する第１および第２の表面を含む。第２の筐体が第１の筐体に対して閉じられた状態で、第１および第２の表面のいずれか一方が第１の筐体に向い合い、第１および第２の表面のいずれか他方が外側に露出する。携帯機器は、第１の表面に設けられた第１の表示部と、第２の表面に設けられた第２の表示部とをさらに備える。
【０００８】
このように構成された携帯機器によれば、第１および第２の表面のいずれを外側に露出させて第２の筐体を閉じた場合であっても、第２の筐体を開くことなく、第１または第２の表示部によって時計表示などの所定の内容を確認することができる。これにより、携帯機器の使い勝手を向上させることができる。また、第１の筐体に向い合うように位置決めされた表示部は、傷付くことがない。
【０００９】
また好ましくは、第２の表示部は、第１の表示部の面積よりも小さい面積を有する。このように構成された携帯機器よれば、第２の表面を外側に露出させて第２の筐体を閉じた場合、第１の表示部が第１の筐体に向い合って位置決めされる。このため、この状態で携帯機器を持ち歩いても第１の表示部が傷付くことがない。また、第２の表示部は、比較的小さい面積で形成されているため、第２の表示部が傷付くおそれを比較的低く抑えることができる。一方、第１の表面を外側に露出させて第２の筐体を閉じた場合、第２の表示部と比較して、第１の表示部により多くの内容を見やすく表示させることができる。
【００１０】
また好ましくは、第２の表示部は、第２の筐体が第１の筐体に対して閉じられた状態で、第２の表面が外側に露出する場合に視認可能なように通電され、第２の表面が第１の筐体に向い合う場合に非通電とされる。このように構成された携帯機器によれば、第２の表示部は、第２の筐体が閉じられた状態で第２の表示部が用いられない場合には非通電とされる。これにより、第２の表示部で無駄な電力が消費されることを防止できる。
【００１１】
また好ましくは、第２の表示部は、第２の筐体が第１の筐体に対して開かれた状態で、所定のボタン操作によって通電および非通電が選択される。このように構成された携帯機器によれば、第２の表示部は、第２の筐体が開かれた状態において第２の表示部が用いられる場合にのみ通電される。これにより、第２の表示部で消費される電力量を抑制することができる。また、第２の筐体が開かれた状態でも第２の表示部を選択的に活用することによって、携帯機器の使い勝手をさらに向上させることができる。
【００１２】
また好ましくは、第１および第２の筐体のいずれか一方には、磁石が設けられている。第１および第２の筐体のいずれか他方には、第２の筐体が第１の筐体に対して閉じられた状態で磁石に近接して位置決めされるホール素子が設けられている。ホール素子は、第２の筐体および第２の表面がいずれの状態に位置決めされているかを検知する。このように構成された携帯機器によれば、第２の筐体の開閉状態や、第２の筐体が閉じられた状態で第２の表面がいずれの方向を向いているかを自動的に検知することができる。これにより、上述の第２の表示部に対する通電または非通電を的確に選択することができる。
【００１３】
また好ましくは、第１の筐体は、カメラ部を含む。このように構成された携帯機器よれば、カメラ機能を備えた携帯機器において、上述のいずれかの効果を奏することができる。また、カメラ部によって認識された被写体の画像を第１および第２の表示部のいずれにも表示させることができる。このため、携帯機器の使い勝手をさらに向上させることができる。
【００１４】
この発明の別の局面に従った携帯機器は、第１の筐体と、第１の筐体の端部に設けられ、第１の軸を中心に第１の筐体に対して回動自在に連結されたヒンジ部と、第１の軸に直交する第２の軸を中心に回転自在となるようにヒンジ部に連結された第２の筐体とを備える。第２の筐体は、ヒンジ部を介して第１の軸を中心に回動することによって第１の筐体に対して開閉される。第２の筐体は、第２の軸を中心に回転した場合に表裏反転する第１および第２の表面を含む。第２の筐体が第１の筐体に対して閉じられた状態で、第１および第２の表面のいずれか一方が第１の筐体に向い合い、第１および第２の表面のいずれか他方が外側に露出する。第１の筐体は、第２の筐体が第１の筐体に対して閉じられた状態で、外側に露出する第３の表面を含む。
【００１５】
携帯機器は、第１の表面に設けられた第１の表示部と、第３の表面に設けられた第２の表示部とをさらに備える。第２の表示部は、第２の筐体が第１の筐体に対して閉じられた状態で、視認可能なように通電される。第２の表示部は、第２の筐体が第１の筐体に対して開かれた状態で、所定のボタン操作によって通電および非通電が選択される。
【００１６】
このように構成された携帯機器によれば、第１の表面を第１の筐体に向けて第２の筐体を閉じた場合であっても、第２の筐体を開くことなく、第２の表示部によって時計表示などの所定の内容を確認することができる。これにより、携帯機器の使い勝手を向上させることができる。また、この状態で携帯機器を持ち歩いても、第１の表示部が傷付くことがない。さらに、第２の表示部は、第２の表示部が用いられる所定の場合にのみ通電される。このため、第２の表示部で消費される電力量を抑制することができる。また、第２の筐体が開かれた状態でも第２の表示部を選択的に活用することによって、携帯機器の使い勝手をさらに向上させることができる。
【００１７】
また好ましくは、第１の筐体は、撮影レンズを有するカメラ部を含む。撮影レンズは、第２の表示部の近傍に位置して第３の表面に設けられている。このように構成された携帯機器によれば、第１の表面を外側に露出させて第２の筐体を閉じた場合、カメラ部で認識された被写体の画像を第１および第２の表示部の両方に表示させることができる。これにより、ふたりが、互いに邪魔することなく同時にこの画像を確認できるなど、携帯機器の使い勝手をさらに向上させることができる。また、撮影レンズは、第２の表示部の近傍に設けられている。このため、カメラ部を用いて自分の姿を撮影する際、撮影される画像を第２の表示部に表示させれば、視線を撮影レンズの近くに向けたまま撮影を行なうことができる。これにより、視線が正面を向いた自然な状態で自分の姿を収めることができる。
【００１８】
また好ましくは、第１および第２の筐体のいずれか一方には、磁石が設けられている。第１および第２の筐体のいずれか他方には、第２の筐体が第１の筐体に対して閉じられた状態で磁石に近接して位置決めされるホール素子が設けられている。ホール素子は、第２の筐体の開閉状態を検知する。このように構成された携帯機器によれば、第２の筐体の開閉状態を自動的に検知することができる。これにより、上述の第２の表示部に対する通電または非通電を的確に選択することができる。
【発明の効果】
【００１９】
以上説明したように、この発明に従えば、使い勝手に優れているとともに、表示部を適切に保護できる携帯機器を提供することができる。
【発明を実施するための最良の形態】
【００２０】
この発明の実施の形態について、図面を参照して説明する。
【００２１】
（実施の形態１）
図１は、この発明の実施の形態１における携帯電話機の開いた状態を示す斜視図である。図２は、図１中の携帯電話機の閉じた状態を示す斜視図である。図３は、図２中の矢印ＩＩＩから見た携帯電話機を示す斜視図である。図１から図３を参照して、携帯電話機１は、カメラ機能を有するクラムシェルタイプの携帯電話機であり、備える一方の筐体を表裏反転させることができるタイプの携帯電話機である。
【００２２】
携帯電話機１は、筐体２と、回動軸７を中心に回動自在となるように筐体２の端部に接続されたヒンジ６と、回転軸８を中心に回転自在となるようにヒンジ６に接続された筐体３と、筐体２の内部に収容されたカメラ部２１とを備える。ヒンジ６を介して筐体３を筐体２に対して角変位自在に動かすことによって、携帯電話機１の形状は、図１に示す開いた状態と図２および図３に示す閉じた状態との間で変化する。回動軸７と回転軸８とは、直交して延びている。
【００２３】
筐体２は、略矩形形状の表面２ａを有するベース部４と、表面２ａの所定位置から突出して形成された突出部５とからなる形状を有する。表面２ａは、携帯電話機１を開いた状態で外側に面し、閉じた状態で内側に面する表面である。筐体２は、表面２ａに対してほぼ直角に連なり、表面２ｂを挟んで互いに平行に延在する一対の側面２ｃを有する。
【００２４】
回動軸７が延びる方向に延在する表面２ａの周縁には、突出部５が設けられている。突出部５は、回動軸７が延びる方向に距離を隔てて位置し、表面２ａにほぼ直角に連なる一対の側面５ｂを有する。一対の側面５ｂの各々は、一対の側面２ｃの各々より所定の距離だけ内側に寄った位置で、表面２ａに連なっている。
【００２５】
ヒンジ６は、回動軸７が延びる方向に延在する中央部６ｍと、中央部６ｍの両端から回転軸８が延びる方向に延在する両端部６ｎとからなる形状を有し、Ｕ字状に形成されている。ヒンジ６は、両端部６ｎが突出部５の一対の側面５ｂを挟み込むように位置決めされている。ヒンジ６によって、両端部６ｎと側面５ｂとが、回動自在に連結され、中央部６ｍと筐体３とが、回転自在に連結されている。
【００２６】
表面２ａには、数字および文字を入力するためのキーなどから構成される入力ボタン群１０と、携帯電話機１における各種設定／機能切替を行うための機能ボタン群９とが設けられている。表面２ａには、入力ボタン群１０の近傍に位置して、通話用のマイク１４が設けられている。側面２ｃには、カメラ部２１の使用時に押下されるシャッターボタン１７が設けられている。
【００２７】
筐体３は、略矩形形状の表面３ａを有する。表面３ａは、筐体３を回転させることによって表裏反転する表面である。表面３ａには、メイン表示部１１が設けられている。メイン表示部１１は、周縁を除いた表面３ａのほぼ全体に渡って矩形形状に形成されている。メイン表示部１１は、液晶ディスプレイやＥＬ(electro luminescent）ディスプレイなどによって構成されており、電話帳などの画像が表示されて電話やメール時に使用されたり、カメラ部２１によって認識された画像が表示されて撮影時に使用されたりする。
【００２８】
表面３ａには、メイン表示部１１の近傍に位置して、通話時などに使用するレシーバ１３が設けられている。表面３ａには、メイン表示部１１を挟んでレシーバ１３の反対側に位置して、操作ボタン群１２が設けられている。操作ボタン群１２は、メイン表示部１１の表示情報を確認しながら各種のデータ設定または操作を行うためのボタンであり、操作ボタン１２ａから１２ｃによって構成されている。操作ボタン１２ａから１２ｃが分担する機能については、後述する。
【００２９】
表面２ａの端部には、ホール素子１５ａおよび１５ｂが所定の距離を隔てて設けられている。ホール素子とは、ホール効果により起電力を生じる半導体素子のことである。表面３ａの端部には、携帯電話機１を閉じた状態でホール素子１５ａに近接する位置にマグネット１６が設けられている。
【００３０】
図２を参照して、筐体３は、表面３ａの反対側に位置する表面３ｂを有する。表面３ｂの中心付近には、矩形形状を有するサブ表示部２０が設けられている。サブ表示部２０は、メイン表示部１１よりも小さい面積で形成されている。サブ表示部２０は、液晶ディスプレイやＥＬディスプレイなどによって構成されている。表面３ａの端部に設けられたマグネット１６は、表面３ａから表面３ｂに向けて延在しており、表面３ｂの裏側にも、マグネット１６が位置している。なお、マグネット１６は、表面３ｂに露出した状態で設けられていても良い。後述する図６に示す状態で、マグネット１６は、ホール素子１５ｂに近接する。
【００３１】
マグネット１６とホール素子１５ａおよび１５ｂとは、携帯電話機１の開閉状態を判断するために用いられる。つまり、ホール素子１５ａおよび１５ｂのいずれによっても、マグネット１６の存在が検知されない場合、携帯電話機１は開かれた状態であると判断される。ホール素子１５ａによってマグネット１６の存在が検知された場合、携帯電話機１は、サブ表示部２０が外側に露出した状態（図２に示す状態）で閉じられていると判断される。ホール素子１５ｂによってマグネット１６の存在が検知された場合、携帯電話機１は、メイン表示部１１が外側に露出した状態（後述する図６に示す状態）で閉じられていると判断される。
【００３２】
表面３ｂが外側に面するように携帯電話機１が閉じられた図２に示す場合、サブ表示部２０は、常時、視認可能なように通電されている。このとき、サブ表示部２０には、たとえば、時計表示、電話が掛かってきた場合の相手の名前や電話番号、メールを着信した場合の相手の名前やメールアドレス、電波の状態および電池の残量表示のほか、携帯電話機１の状態が各種アイコン等によって表示される。撮影時において、サブ表示部２０には、カメラ部２１によって認識された画像が表示されても良い。この場合、図２に示す状態で携帯電話機１を持ち歩いていても、筐体３を開けることなく即時に撮影を行なうことができる。
【００３３】
図３を参照して、筐体２は、表面２ａの反対側に位置する表面２ｂを有する。表面２ｂには、突出部５の裏側に位置して撮影レンズ２１ｐおよびフラッシュ２２が並んで設けられている。撮影レンズ２１ｐは、カメラ部２１の一部を構成している。フラッシュ２２は、カメラ部２１で撮影する際の補助光源として使われる。一般的には、補助光源にはキセノン管が用いられ、また最近では、ＲＧＢのＬＥＤ（light emitting diode）が用いられている。これらＬＥＤを同時発光させることによって、白色光の照明を得ることができる。
【００３４】
筐体２の内部には、突出部５とベース部４との間で連通する空間が規定されており、カメラ部２１は、その空間に収容されている。このような構成により、カメラ部２１がズーム機能などを備える場合であっても、筐体２の厚みを小さくしたままカメラ部２１を収容することができる。カメラ部２１は、撮影レンズ２１ｐに加えて、ＣＣＤ（charge coupled device）イメージセンサまたはＣＭＯＳ（complementary metal oxide semiconductor）イメージセンサなどの撮影素子と、ＲＧＢの３色のカラーフィルタとを備える。カメラ部２１では、被写体で反射されて撮影レンズ２１ｐに入射した光を、カラーフィルタを通してＲＧＢの３色光に変換し、ＲＧＢの３色光をそれぞれＣＣＤに入射させる。
【００３５】
表面２ｂには、撮影レンズ２１ｐの近傍に位置して、スピーカー２３が設けられている。筐体２の表面２ｂ側には、アンテナ１８が昇降自在に設けられている。ヒンジ６には、三脚を取り付けるためのナット２４が組み込まれている。ナット２４を利用することによって、特別なアタッチメントを準備することなく、携帯電話機１に三脚を直接装着することができる。
【００３６】
筐体２は、表面２ｂから突出部５に向けて延在する端面２ｄを有する。端面２ｄは、携帯電話機１を閉じた状態で外側に面する表面である。端面２ｄには、マイク２５が設けられている。通話時に使用されるマイク１４とは別にマイク２５を設けることによって、携帯電話機１を閉じた状態で通話を行なうことができる。
【００３７】
図４および図５は、図１中のメイン表示部およびサブ表示部が設けられた筐体を回転させた場合の携帯電話機を示す斜視図である。図４を参照して、携帯電話機１を開いた状態とし、筐体３を回転軸８を中心に図１に示す状態から９０度だけ回転させる。これにより、筐体３は、メイン表示部１１が設けられた表面３ａと、入力ボタン群１０および機能ボタン群９が設けられた筐体２の表面２ａとが直交するように位置決めされる。
【００３８】
図５を参照して、筐体３を回転軸８を中心に図４に示す状態からさらに９０度だけ回転させる。これにより、筐体３は、表面３ａと筐体２の表面２ｂとが同一方向を向き、表面３ｂと筐体２の表面２ａとが同一方向を向くように位置決めされる。なお、図１、図４および図５に示す状態のみならず、筐体３を回転軸８を中心に適当な角度だけ回転させることによって、表面３ａに設けられたメイン表示部１１を所望の方向に向けることができる。
【００３９】
このように携帯電話機１では、筐体３が回転自在に設けられている。このため、カメラ部２１を用いて被写体を撮影する場合に、ユーザーは、その撮影の条件にあわせてメイン表示部１１の向きを選択することができる。たとえば、正面に立った被写体を撮影する場合、ユーザーは、筐体３を図１に示す状態に位置決めする。これにより、撮影レンズ２１ｐを被写体に向けながら、メイン表示部１１に映し出された被写体の姿を確認することができる。また、筐体３を図４に示す状態に位置決めすれば、ユーザーは、メイン表示部１１を臨み込むような姿勢を取りながら、正面に立った被写体の姿を確認することができる。さらに、ユーザーが自分の姿を撮影する場合、ユーザーは、筐体３を図５に示す状態に位置決めすれば良い。これにより、撮影レンズ２１ｐを自分に向けながら、メイン表示部１１に映し出された自分の姿を確認することができる。
【００４０】
携帯電話機１が開かれた図１、図４および図５に示す場合、サブ表示部２０は、機能ボタン群９などを用いた所定のボタン操作によって、通電されるか非通電とされるかが決定される。このようにサブ表示部２０を選択的に視認可能な状態とすることによって、サブ表示部２０で消費される電力を抑えることができる。サブ表示部２０が通電された状態にある時、サブ表示部２０は、たとえば、ナット２４を利用して三脚を取り付けて撮影する場合に利用される。具体的には、ユーザーが、図１に示す状態でメイン表示部１１を用いて構図を確認し、その後セルフタイマーを使って撮影する際に、サブ表示部２０に撮影までの残り時間などが表示される。
【００４１】
なお、携帯電話機１が開かれた場合において、サブ表示部２０は、常時、非通電の状態に設定されていても良い。この場合、サブ表示部２０で消費される電力をさらに抑えることができる。
【００４２】
図６は、図５中に示す携帯電話機の閉じた状態を示す斜視図である。図７は、図６中に示す携帯電話機を用いて撮影を行なう様子を示した図である。図６および図７を参照して、筐体３を図５に示す状態に回転させた後、筐体３を回動軸７を中心に回動させ、携帯電話機１を閉じた状態とする。このとき、サブ表示部２０は非通電とされる。このように使用されない間、サブ表示部２０を非通電とすることによって、サブ表示部２０で消費される電力を抑えることができる。
【００４３】
図７に示すように、ユーザーは、携帯電話機１を専用のデジタルカメラのように構えて撮影を行なうことができる。具体的には、ユーザーは、右手の人差し指をシャッターボタン１７に掛け、両手で携帯電話機１を把持する。そして、撮影レンズ２１ｐを被写体３１に向け、メイン表示部１１に映し出された被写体３１の画像を確認しながらシャッターボタン１７を押下する。このとき、操作ボタン１２ａ、１２ｂおよび１２ｃを、それぞれ決定ボタン、ズームボタンおよびワイドボタンとして機能させても良い。このような撮影方法によって、撮影時における携帯電話機１の使い勝手が向上する。
【００４４】
また、撮影時やその他の場合にも操作ボタン群１２によってより多くの操作ができるように、１つの操作ボタンに多くの機能を持たせても良い。この場合、メイン表示部１１に表示されている内容に合わせて、各操作ボタンが持つ機能をメイン表示部１１の操作ボタン近傍に文字やイラストを用いて表示させても良い。
【００４５】
たとえば図７に示す状態で撮影を行なう場合、ユーザーは、操作ボタン群１２を用いて、ズームの調整のほか、画面フレームの選択、画像調整、日付け表示形式の選択等を設定することができる。ユーザーは、メイン表示部１１に表示された各操作ボタンが持つ機能を参考にしながらその近傍に設けられた操作ボタン群１２を押下することができるため、誤ることなく正しい操作を行なうことができる。また他に、内蔵のメモリ部に記憶した画像を閲覧する場合に、操作ボタン群１２を用いて画像送りさせても良い。
【００４６】
また、メイン表示部１１とカメラ部２１とを合わせて使用し、携帯電話機１をテレビ電話のようにして用いた場合、操作ボタン群１２を用いて、相手側の端末画面への自分の映り具合を確認するための小画面の表示／非表示の選択や他画面の呼び出し等を行なっても良い。
【００４７】
この発明の実施の形態１に従った携帯機器としての携帯電話機１は、第１の筐体としての筐体２と、筐体２の端部に設けられ、第１の軸としての回動軸７を中心に筐体２に対して回動自在に連結されたヒンジ部としてのヒンジ６と、回動軸７に直交する第２の軸としての回転軸８を中心に回転自在となるようにヒンジ６に連結された第２の筐体としての筐体３とを備える。筐体３は、ヒンジ６を介して回動軸７を中心に回動することによって筐体２に対して開閉される。
【００４８】
筐体３は、回転軸８を中心に回転した場合に表裏反転する第１および第２の表面としての表面３ａおよび３ｂを含む。筐体３が筐体２に対して閉じられた状態で、表面３ａおよび３ｂのいずれか一方が筐体２に向い合い、表面３ａおよび３ｂのいずれか他方が外側に露出する。携帯電話機１は、表面３ａに設けられた第１の表示部としてのメイン表示部１１と、表面３ｂに設けられた第２の表示部としてのサブ表示部２０とをさらに備える。サブ表示部２０は、メイン表示部１１の面積よりも小さい面積を有する。筐体２は、カメラ部２１を含む。
【００４９】
サブ表示部２０は、筐体３が筐体２に対して閉じられた状態で、表面３ｂが外側に露出する場合に視認可能なように通電され、表面３ｂが筐体２に向い合う場合に非通電とされる。サブ表示部２０は、筐体３が筐体２に対して開かれた状態で、所定のボタン操作によって通電および非通電が選択される。
【００５０】
筐体３には、磁石としてのマグネット１６が設けられている。筐体２には、筐体３が筐体２に対して閉じられた状態でマグネット１６に近接して位置決めされるホール素子１５ａおよび１５ｂが設けられている。ホール素子１５ａおよび１５ｂは、筐体３および表面３ｂがいずれの状態に位置決めされているかを検知する。
【００５１】
このように構成された携帯電話機１によれば、携帯電話機１を図２に示す状態で持ち歩く場合、メイン表示部１１が内側に面しているため、メイン表示部１１が傷付くことを防止できる。この際、メイン表示部１１の待ち受け画面としている写真画像などを他人に見られるおそれもない。一方、サブ表示部２０は、外側に露出しているが、比較的小さい面積で形成されているため、サブ表示部２０が傷付くことは極力抑えられる。また、わざわざ筐体３を開けることなく、サブ表示部２０によって、掛かってきた電話や着信したメールの相手を確認したり、時間を知ることができる。
【００５２】
（実施の形態２）
図８は、この発明の実施の形態２における携帯電話機の閉じた状態を示す斜視図であり、実施の形態１における図２に対応する図である。図９は、図８中の矢印ＩＸから見た携帯電話機を示す斜視図である。図１０は、この発明の実施の形態２における携帯電話機の開いた状態を示す斜視図であり、実施の形態１における図５に対応する図である。この発明の実施の形態２における携帯電話機は、図８中の携帯電話機を開いた状態において図１に示す外観を有する。
【００５３】
この発明の実施の形態２における携帯電話機は、基本的には実施の形態１における携帯電話機１と同様の構造を備えるが、サブ表示部が設けられた位置が異なる。以下、重複する構造の説明は省略する。
【００５４】
図８から図１０を参照して、携帯電話機５１では、筐体２の表面２ｂにサブ表示部５２が設けられている。サブ表示部５２は、撮影レンズ２１ｐの近傍に位置して、スピーカー２３と並んで設けられている。
【００５５】
表面３ａおよび３ｂのいずれが外側に面するかにかかわらず、携帯電話機１が閉じられている状態で、サブ表示部５２は、常時、視認可能なように通電されている。但し、図６に示す状態では、通電せず節電しても良い。この際、サブ表示部５２には、たとえば、時計表示、電話が掛かってきた場合の相手の名前や電話番号、メールを着信した場合の相手の名前やメールアドレス、電波の状態および電池の残量表示のほか、携帯電話機１の状態が各種アイコン等によって表示される。撮影時において、サブ表示部５２には、カメラ部２１によって認識された画像が表示されても良い。この場合、ユーザーは、携帯電話機１を閉じた状態で自分の姿を撮影することができる。
【００５６】
また、携帯電話機１が開かれている場合、サブ表示部５２は、機能ボタン群９などを用いた所定のボタン操作によって、通電されるか非通電とされるかが決定される。この際、サブ表示部５２は、たとえば図１０に示す状態でテレビ電話として使用する際に、メイン表示部１１で相手の画像を見ながら、自分の画像を表示させて確認する場合などに利用される。なお、実施の形態１と同様に、携帯電話機１の開閉状態を判断するため、マグネット１６とホール素子１５ａおよび１５ｂとが用いられる。
【００５７】
また、サブ表示部５２と、筐体２の端面２ｄに設けられたマイク２５とを合わせて使用すれば、閉じた状態の携帯電話機１をテレビ電話のようにして用いることができる。このとき、ホール素子１５ａおよび１５ｂによって携帯電話機１の開閉状態を検知し、マイク１４とマイク２５との切り替えを自動的に行なっても良い。また、メイン表示部１１が設けられた表面３ａが外側に面するように携帯電話機１を閉じた場合、携帯電話機１の両面に表示部が露出する。このため、ユーザーは、サブ表示部５２を見ながら通話相手と話すと同時に、通話相手の姿をメイン表示部１１によって第３者に見てもらうことができる。
【００５８】
この発明の実施の形態２における携帯機器としての携帯電話機５１は、第１の筐体としての筐体２と、筐体２の端部に設けられ、第１の軸としての回動軸７を中心に筐体２に対して回動自在に連結されたヒンジ部としてのヒンジ６と、回動軸７に直交する第２の軸としての回転軸８を中心に回転自在となるようにヒンジ６に連結された第２の筐体としての筐体３とを備える。筐体３は、ヒンジ６を介して回動軸７を中心に回動することによって筐体２に対して開閉される。
【００５９】
筐体３は、回転軸８を中心に回転した場合に表裏反転する第１および第２の表面としての表面３ａおよび３ｂを含む。筐体３が筐体２に対して閉じられた状態で、表面３ａおよび３ｂのいずれか一方が筐体２に向い合い、表面３ａおよび３ｂのいずれか他方が外側に露出する。筐体２は、筐体３が筐体２に対して閉じられた状態で、外側に露出する第３の表面としての表面２ｂを含む。
【００６０】
携帯電話機５１は、表面３ａに設けられた第１の表示部としてのメイン表示部１１と、表面２ｂに設けられた第２の表示部としてのサブ表示部５２とをさらに備える。サブ表示部５２は、筐体３が筐体２に対して閉じられた状態で、視認可能なように通電される。但し、メイン表示部１１が外側に露出している場合は、非通電とされていても良い。サブ表示部５２は、筐体３が筐体２に対して開かれた状態で、所定のボタン操作によって通電および非通電が選択される。
【００６１】
筐体２は、撮影レンズ２１ｐを有するカメラ部２１を含む。撮影レンズ２１ｐは、サブ表示部５２の近傍に位置して表面２ｂに設けられている。
【００６２】
このように構成された携帯電話機５１によれば、実施の形態１に記載の効果と同様の効果を奏することができる。加えて、サブ表示部５２の近傍に撮影レンズ２１ｐが位置決めされているため、携帯電話機５１を用いて自分の姿を撮影する際、ユーザーは、視線を撮影レンズ２１ｐの近傍に向けたまま、サブ表示部５２によって撮影される自分の姿を確認することができる。これにより、視線が正面を向いた自然な状態で自分の姿を撮影することができる。
【００６３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００６４】
【図１】この発明の実施の形態１における携帯電話機の開いた状態を示す斜視図である。
【図２】図１中の携帯電話機の閉じた状態を示す斜視図である。
【図３】図２中の矢印ＩＩＩから見た携帯電話機を示す斜視図である。
【図４】図１中のメイン表示部およびサブ表示部が設けられた筐体を回転させた場合の携帯電話機を示す斜視図である。
【図５】図１中のメイン表示部およびサブ表示部が設けられた筐体を回転させた場合の携帯電話機を示す別の斜視図である。
【図６】図５中に示す携帯電話機の閉じた状態を示す斜視図である。
【図７】図６中に示す携帯電話機を用いて撮影を行なう様子を示した図である。
【図８】この発明の実施の形態２における携帯電話機の閉じた状態を示す斜視図である。
【図９】図８中の矢印ＩＸから見た携帯電話機を示す斜視図である。
【図１０】この発明の実施の形態２における携帯電話機の開いた状態を示す斜視図である。
【符号の説明】
【００６５】
１，５１  携帯電話機、２，３  筐体、３ａ，３ｂ，２ｂ  表面、６  ヒンジ、７  回動軸、８  回転軸、１１  メイン表示部、１５ａ，１５ｂ  ホール素子、１６  マグネット、２０，５２  サブ表示部、２１  カメラ部、２１ｐ  撮影レンズ。
【図１】
2005123786.tif 000003
【図２】
2005123786.tif 000004
【図３】
2005123786.tif 000005
【図４】
2005123786.tif 000006
【図５】
2005123786.tif 000007
【図６】
2005123786.tif 000008
【図７】
2005123786.tif 000009
【図８】
2005123786.tif 000010
【図９】
2005123786.tif 000011
【図１０】
2005123786.tif 000012